(57)【要約】      （修正有）【課題】２枚の絞り羽根を用いた絞り装置において、小型化を可能にする。【解決手段】２枚の絞り羽根３，４は、異なる直径の絞り開口部３ａ，４ａを有していて、近接して立設されている羽根取付軸１ｐ，１ｑに取り付けられ、回転子５，６の駆動ピン５ｃ，６ｃによって個別に往復回転させられる。そして、最小絞り開口の制御状態とするときは、最小絞り開口を規制するための開口部３ａを有している絞り羽根３を開口部１ａに進入させるだけではなく、中間絞り開口を規制するための開口部４ａを有している絞り羽根４も同じ方向から開口部１ａに進入させ、外形形状が小さくて、絞り羽根３だけでは覆えないでいる開口部１ａの領域を、絞り羽根４によって覆うようにしている。【選択図】図１
2010204200.tif 000002
【特許請求の範囲】
【請求項１】
光軸を中心にした開口部を有している地板と、光軸を中心にした開口部を有していて前記地板との間に羽根室を構成しており該開口部と前記地板の開口部のうちの一方を最大絞り開口を規制する露光用開口部としている補助板と、最小絞り開口を規制する絞り開口部を有していて第１駆動手段の駆動ピンによって往復回転させられ前記露光用開口部に進退し得るようにして前記地板に取り付けられており前記露光用開口部に進入した状態では該絞り開口部の領域以外に前記露光用開口部を覆えないカバー不能領域が存在する形状をした第１絞り羽根と、中間絞り開口を規制する絞り開口部を有していて第２駆動手段の駆動ピンによって往復回転させられ前記第１絞り羽根と略同じ方向から前記露光用開口部に進退し得るようにして前記第１絞り羽根の取付け位置の近傍位置で前記地板に取り付けられており前記露光用開口部に進入した状態では該絞り開口部の領域以外の前記露光用開口部の全領域を覆う形状をした第２絞り羽根と、を備えていて、撮影中に、前記露光用開口部に、前記第１絞り羽根を進入させるときには、前記第２絞り羽根も進入させていて、前記第２絞り羽根が、前記カバー不能領域を覆っているようにしたことを特徴とするカメラ用絞り装置。
【請求項２】
前記第２絞り羽根が、逃げ孔を有していて、前記第１駆動手段の駆動ピンが、該逃げ孔内に存在しているようにしたことを特徴とする請求項１に記載のカメラ用絞り装置。
【請求項３】
前記第１絞り羽根と前記第２絞り羽根とは、各々、係合部を有していて、前記第２絞り羽根が前記露光用開口部から退いた状態にあるときは、前記第１絞り羽根の係合部が前記第２絞り羽根の係合部に当接することによって、前記第１絞り羽根が前記露光用開口部に進入するのを阻止され得るようにし、前記第１絞り羽根が前記露光用開口部に進入した状態にあるときは、前記第２絞り羽根の係合部が前記第１絞り羽根の係合部に当接することによって、前記第２絞り羽根が前記露光用開口部から退くのを阻止され得るようにしたことを特徴とする請求項１又は２に記載のカメラ用絞り装置。
【請求項４】
前記第２絞り羽根が、前記逃げ孔の縁の一部を第１係合部とし該縁の他の一部を第２係合部としており、前記第１絞り羽根が、前記逃げ孔内に存在する係合部を有していて、前記第２絞り羽根が前記露光用開口部から退いた状態にあるときは、前記第２絞り羽根の第１係合部が前記第１絞り羽根の係合部に当接することによって、前記第１絞り羽根が前記露光用開口部に進入するのを阻止され得るようにし、前記第１絞り羽根が前記露光用開口部に進入した状態にあるときは、前記第２係合部が前記第１絞り羽根の係合部に当接することによって、前記第２絞り羽根が前記露光用開口部から退くのを阻止され得るようにしたことを特徴とする請求項２に記載のカメラ用絞り装置。
【請求項５】
前記第２絞り羽根が、前記逃げ孔の縁の一部を第１係合部とし該縁の他の一部を第２係合部としており、前記第２絞り羽根が前記露光用開口部から退いた状態にあるときは、前記第１駆動手段の駆動ピンが前記第１係合部に当接することによって、前記第１絞り羽根が前記露光用開口部に進入するのを阻止され得るようにし、前記第１絞り羽根が前記露光用開口部に進入した状態にあるときは、前記第２係合部が前記第１駆動手段の駆動ピンに当接することによって、前記第２絞り羽根が前記露光用開口部から退くのを阻止され得るようにしたことを特徴とする請求項２に記載のカメラ用絞り装置。
【請求項６】
前記第１絞り羽根と前記第２絞り羽根との少なくとも一方は、その絞り開口部を覆うようにしてＮＤフィルタシートを取り付けていることを特徴とする請求項１乃至５のいずれかに記載のカメラ用絞り装置。
【発明の詳細な説明】
【技術分野】
【０００１】
本発明は、直径の異なる絞り開口部を有している２枚の絞り羽根を、各々の駆動手段によって往復回転させることにより、露光用開口部に進退させるようにしたカメラ用絞り装置に関する。
【背景技術】
【０００２】
最近のカメラ用絞り装置は、デジタルカメラの普及に伴い、円形の絞り開口部を有する絞り羽根を、モータなどの駆動手段によって、最大絞り開口を規制する露光用開口部に進退させ、撮影光路（絞り開口）の大きさを２段階に制御できるようにしたものが多くなっている。ところが、そのような２段階制御では満足できないため、上記の絞り羽根とは直径の異なる絞り開口部を有する第２の絞り羽根を、第２の駆動手段によって露光用開口部に進退させるようにし、撮影光路の大きさを３段階に制御できるようにしたカメラ用絞り装置が、下記の特許文献１に記載されている。
【先行技術文献】
【特許文献】
【０００３】
【特許文献１】特開平１０−２２１７４０号公報
【発明の概要】
【発明が解決しようとする課題】
【０００４】
上記の特許文献１に記載されているカメラ用絞り装置の場合、２枚の絞り羽根は、露光用開口部から退いているとき、地板面の異なる領域に収容されるようになっている。そのため、この構成の場合には、２枚の絞り羽根の収容に要する面積が大きくなり、地板を小さくすること、言い換えれば、装置を小型化することが非常に難しいといえる。このことを解決するには、２枚の絞り羽根は、露光用開口部から退いているとき、地板面の略同じ領域に収容されるようになっていて、露光用開口部には、略同じ方向から進入するようにすればよいことになる。
【０００５】
ところで、最近のデジタルカメラは、非常に小型化されてきたり、デザインが多彩になってきたことから、絞り装置の場合にも、地板の形状に大きな制約を受けたり、その地板に取り付けられている駆動手段としてのモータの構成や取付け位置などにも大きな制約を受けるようになってきた。そのため、上記のように２枚の絞り羽根を、地板面の略同じ領域に収容するように構成する場合であっても、２枚の絞り羽根の地板に対する取付け位置を相互に接近させて配置するようにしなければならない場合がある。
【０００６】
そして、そのように構成する場合であっても、地板のさらなる小型化が要求されているため、その要求に応じようとすると、一方の絞り羽根が、その絞り羽根だけでは役目を果たせない形状になってしまう場合がある。そのため、そのような場合であっても、それを補うことの可能な構成の出現が期待されている。また、２枚の絞り羽根は、各々の駆動手段の駆動ピンによって、相互に接近した領域で個別に回転させられるように構成されていることから、それらの絞り羽根の形状や取付け位置関係によって、作動上、相手側の駆動ピンと干渉しない構成にすることも必要になる。更に、作動時に、一方の絞り羽根だけを作動させる場合は誤作動の判別がし易いが、両方を共に作動させる場合は誤作動の判別がしにくくなるという問題がある。
【０００７】
本発明は、このような問題点を解決するためになされたものであり、その目的とするところは、直径の異なる絞り開口部を有している２枚の絞り羽根を、地板に対して相互に近接して取り付けるようにし、各々の駆動手段によって、略同じ方向から露光用開口部に進退させるようにしたカメラ用絞り装置において、一方の絞り羽根を、地板の形状によって制約をうけ、その絞り羽根だけでは役目を果たせない小さい形状にしたとしても、他方の絞り羽根がそれを補うことによって、小型化を可能にしたカメラ用絞り装置を提供することである。また、そのようにしたカメラ用絞り装置において、２枚の絞り羽根を、作動上、相手側の駆動手段の駆動ピンに干渉せず、地板に対して好適に取り付け得るようにしたカメラ用絞り装置を提供することである。更に、そのようにしたカメラ用絞り装置において、誤作動の判別をし易くしたカメラ用絞り装置を提供することである。
【課題を解決するための手段】
【０００８】
上記の目的を達成するために、本発明のカメラ用絞り装置は、光軸を中心にした開口部を有している地板と、光軸を中心にした開口部を有していて前記地板との間に羽根室を構成しており該開口部と前記地板の開口部のうちの一方を最大絞り開口を規制する露光用開口部としている補助板と、最小絞り開口を規制する絞り開口部を有していて第１駆動手段の駆動ピンによって往復回転させられ前記露光用開口部に進退し得るようにして前記地板に取り付けられており前記露光用開口部に進入した状態では該絞り開口部の領域以外に前記露光用開口部を覆えないカバー不能領域が存在する形状をした第１絞り羽根と、中間絞り開口を規制する絞り開口部を有していて第２駆動手段の駆動ピンによって往復回転させられ前記第１絞り羽根と略同じ方向から前記露光用開口部に進退し得るようにして前記第１絞り羽根の取付け位置の近傍位置で前記地板に取り付けられており前記露光用開口部に進入した状態では該絞り開口部の領域以外の前記露光用開口部の全領域を覆う形状をした第２絞り羽根と、を備えていて、撮影中に、前記露光用開口部に、前記第１絞り羽根を進入させるときには、前記第２絞り羽根も進入させていて、前記第２絞り羽根が、前記カバー不能領域を覆っているようにする。その場合、前記第２絞り羽根が、逃げ孔を有していて、前記第１駆動手段の駆動ピンが、該逃げ孔内に存在しているようにすると、好適な構成になる。
【０００９】
このような本発明のカメラ用絞り装置においては、前記第１絞り羽根と前記第２絞り羽根とは、各々、係合部を有していて、前記第２絞り羽根が前記露光用開口部から退いた状態にあるときは、前記第１絞り羽根の係合部が前記第２絞り羽根の係合部に当接することによって、前記第１絞り羽根が前記露光用開口部に進入するのを阻止され得るようにし、前記第１絞り羽根が前記露光用開口部に進入した状態にあるときは、前記第２絞り羽根の係合部が前記第１絞り羽根の係合部に当接することによって、前記第２絞り羽根が前記露光用開口部から退くのを阻止され得るようにすると、第１絞り羽根と第２絞り羽根の両方を、前記露光用開口部に進入させるときと、前記露光用開口部から退避させるときとにおける誤作動が判別し易くなる。
【００１０】
また、本発明のカメラ用絞り装置においては、前記第２絞り羽根が、前記逃げ孔の縁の一部を第１係合部とし該縁の他の一部を第２係合部としており、前記第１絞り羽根が、前記逃げ孔内に存在する係合部を有していて、前記第２絞り羽根が前記露光用開口部から退いた状態にあるときは、前記第２絞り羽根の第１係合部が前記第１絞り羽根の係合部に当接することによって、前記第１絞り羽根が前記露光用開口部に進入するのを阻止され得るようにし、前記第１絞り羽根が前記露光用開口部に進入した状態にあるときは、前記第２係合部が前記第１絞り羽根の係合部に当接することによって、前記第２絞り羽根が前記露光用開口部から退くのを阻止され得るようにしても、第１絞り羽根と第２絞り羽根の両方を、前記露光用開口部に進入させるときと、前記露光用開口部から退避させるときとにおける誤作動が判別し易くなる。
【００１１】
また、本発明のカメラ用絞り装置においては、前記第２絞り羽根が、前記逃げ孔の縁の一部を第１係合部とし該縁の他の一部を第２係合部としており、前記第２絞り羽根が前記露光用開口部から退いた状態にあるときは、前記第１駆動手段の駆動ピンが前記第１係合部に当接することによって、前記第１絞り羽根が前記露光用開口部に進入するのを阻止され得るようにし、前記第１絞り羽根が前記露光用開口部に進入した状態にあるときは、前記第２係合部が前記第１駆動手段の駆動ピンに当接することによって、前記第２絞り羽根が前記露光用開口部から退くのを阻止され得るようにすると、第１絞り羽根と第２絞り羽根の両方を、前記露光用開口部に進入させるときと、前記露光用開口部から退避させるときとにおける誤作動を判別可能にするための最適な構成になる。
【００１２】
更に、本発明のカメラ用絞り装置においては、前記第１絞り羽根と前記第２絞り羽根との少なくとも一方は、その絞り開口部を覆うようにしてＮＤフィルタシートを取り付けているようにしてもよい。
【発明の効果】
【００１３】
本発明のカメラ用絞り装置は、最小絞り開口制御用の第１絞り羽根と中間絞り開口制御用の第２絞り羽根とを、地板に対して相互に近接して取り付けるようにし、それらを第１駆動手段と第２駆動手段とによって個別に略同じ方向から露光用開口部に進退させるようにしただけではなく、第１絞り羽根の形状を本来必要とする形状より小さくしても、それによって本来は覆うべきであるのに覆えなくなった露光用開口部の領域を、第２絞り羽根が覆うようにしたので、地板の平面積を小さくすることが可能になる。その場合、第２絞り羽根が、逃げ孔を有していて、第１駆動手段の駆動ピンが、該逃げ孔内で作動するようにすると、各絞り羽根の形状や取付け位置を苦心しなくてもよい構成になる。更に、２枚の絞り羽根が露光用開口部から退いている場合には、第１絞り羽根の作動が第２絞り羽根によって阻止され得るようにしたり、２枚の絞り羽根が露光用開口部に進入している場合には、第２絞り羽根の作動が第１絞り羽根によって阻止され得るようにしたりすると、２枚の絞り羽根を共に作動させるときの誤動作の判別がし易くなる。
【図面の簡単な説明】
【００１４】
【図１】実施例１の最大絞り開口制御状態を示す平面図である。
【図２】実施例１の中間絞り開口制御状態を示す平面図である。
【図３】実施例１の最小絞り開口制御状態を示す平面図である。
【図４】実施例２の最大絞り開口制御状態を示す平面図である。
【発明を実施するための形態】
【００１５】
本発明の実施の形態を、図示した二つの実施例によって説明する。尚、図１〜図３は、実施例１を説明するためのものであり、図４は実施例２を説明するためのものである。
【実施例１】
【００１６】
図１〜図３を用いて実施例１を説明するが、図１は、最大絞り開口制御状態を示す平面図であり、図２は、中間絞り開口制御状態を示す平面図であり、図３は、最小絞り開口制御状態を示す平面図である。
【００１７】
そこで先ず、本実施例の構成を、主に図１を用いて説明する。本実施例の地板１は、合成樹脂製であって、平面外形形状が略長方形をしており、光軸を中心にした円形の開口部１ａと、二つの円弧状の長孔１ｂ，１ｃが形成されている。また、地板１の四辺の外壁面には、それぞれ突起部１ｄ，１ｅ，１ｆ，１ｇが形成されている。更に、地板１の左辺と右辺に沿って、大きな受け部１ｈ，１ｉが形成され、上辺と下辺の略中央箇所に、小さな受け部１ｊ，１ｋが形成されている。そして、それらの四つの受け部１ｈ，１ｉ，１ｊ，１ｋの高さは同じであって、図１における手前側の頂面が同一面となるように形成されている。また、受け部１ｈ，１ｉには、カメラへの取付け用の孔１ｍ，１ｎが形成されている。
【００１８】
地板１には、薄い金属製の補助板２が取付けられていて、両者の間に羽根室を構成している。この補助板２は、羽根室内の構成を分かり易くするために、その一部だけしか示していないが、実際には、地板１と略同じ大きさの長方形に近い形状をしており、上記の四つの受け部１ｈ，１ｉ，１ｊ，１ｋの頂面に接触させられ、各辺の一部に形成された折り曲げ形状のフック部を上記の突起部１ｄ，１ｅ，１ｆ，１ｇに引っ掛けることによって、地板１に取り付けられている。そして、この補助板２には、上記の地板１の孔１ｍ，１ｎと重なるところに、同じような孔が形成されている。
【００１９】
補助板２にも、光軸を中心にした円形の開口部２ａが形成されているが、図１においては、その一部を二点鎖線で示してある。本実施例の場合、この開口部２ａの直径は、地板１の開口部１ａの直径よりも大きい。そのため、開口部１ａの方が、最大絞り開口を規制する露光用開口部になっている。しかし、開口部２ａの直径の方を小さくして、露光用開口部としても差し支えない。そして、このカバー板２には、図示されている孔２ｂのほかに、後述する図示していない複数の孔が形成されている。
【００２０】
地板１の羽根室側の面には、互いに接近した位置に二つの羽根取付軸１ｐ，１ｑが立設されており、それらの先端を、補助板２に形成された図示していないそれぞれの孔に挿入している。また、地板１の羽根室側の面には、三つのストッパ１ｒ，１ｓ，１ｔが立設されているが、それらのうち、ストッパ１ｔの先端は、補助板２の孔２ｂに挿入され、他の二つのストッパ１ｒ，１ｓの先端は、補助板２に形成された図示していないそれぞれの孔に挿入されている。
【００２１】
羽根室内には、２枚の絞り羽根３，４が配置されている。それらのうち、地板１側に配置されている絞り羽根３は、最小絞り開口を規制する円形の開口部３ａと長孔３ｂとを有していて、上記の羽根取付軸１ｐに回転可能に取り付けられている。また、補助板２側に配置されている絞り羽根４は、中間絞り開口を規制する円形の開口部４ａと長孔４ｂのほか、構成上及び作動上で問題が生じないようにするために上記の羽根取付軸１ｐと後述する駆動ピン５ｃとを逃げるように形成した大きな逃げ孔４ｃを有していて、上記の羽根取付軸１ｑに回転可能に取り付けられている。
【００２２】
地板１の羽根室外の面、即ち図１における背面側の面には、実質的に同じ構成をした二つのモータが取り付けられている。これらのモータは、特許文献１や特開２００５−２８３８７７号公報などに記載されている周知の電流制御式のモータであって、回転子が、固定子コイルに対する電流の供給方向に対応した方向へ、所定の角度範囲内においてだけ回転するモータである。この種のモータは、余りにもよく知られているため、地板１への取付け構成の説明を省略するが、図１では、それらの回転子５，６だけを示している。
【００２３】
そして、一方のモータの回転子５は、永久磁石製の本体部５ａと、その本体部５ａに一体化された合成樹脂製の腕部５ｂと、その腕部５ｂの先端に形成された駆動ピン５ｃとからなっており、駆動ピン５ｃは、上記の円弧状の長孔１ｂを貫通し、羽根室内で、絞り羽根３の長孔３ｂと絞り羽根４の逃げ孔４ｃに挿入され、その先端を、補助板２に上記の長孔１ｂと同じ形状に形成された図示していない円弧状の長孔に挿入されている。
【００２４】
また、他方のモータの回転子６も、永久磁石製の本体部６ａと、それと一体的な合成樹脂製の腕部６ｂと、その先端に形成された駆動ピン６ｃとからなっており、駆動ピン６ｃは、円弧状の長孔１ｃを貫通し、羽根室内で、絞り羽根４の長孔４ｂに挿入され、その先端を、補助板２に上記の長孔１ｃと同じ形状に形成された図示していない円弧状の長孔に挿入されている。
【００２５】
次に、図１〜図３を用いて、本実施例の作動を説明するが、図２及び図３においては、補助板２の図示が省略されている。図１は、カメラの電源スイッチをオンにしている撮影待機状態を示したものであるが、このとき、絞り羽根３，４は、開口部１ａから、いずれも退いており、開口部１ａは全開状態になっている。即ち、最大絞り開口の制御状態になっている。そのため、撮影に際して、カメラのレリーズボタンを押したとき、測光装置によって、被写体光が標準の明るさの範囲よりも暗いと判断された場合には、二つのモータの固定子コイルには電流が供給されず、この図１の状態で撮影が行われ、撮影後もこのままの状態で、次の撮影を待つことになる。
【００２６】
また、撮影に際して、カメラのレリーズボタンを押したとき、測光装置によって、被写体光が標準の明るさの範囲にあると判断された場合には、図１の状態において、回転子６を備えているモータの固定子コイルにだけ電流が供給される。そのため、回転子６は、反時計方向へ回転させられ、駆動ピン６ｃによって、絞り羽根４を時計方向へ回転させ、開口部１ａに進入させていく。そして、このような回転子６と絞り羽根４の回転は、絞り羽根４がストッパ１ｔに当接することによって停止させられる。図２は、その停止状態を示したものであり、この状態で撮影が行われる。
【００２７】
撮影が終了すると、モータの固定子コイルに対して、先ほどとは逆方向に電流が供給される。そのため、図２において、回転子６は、時計方向へ回転させられ、駆動ピン６ｃによって、絞り羽根４を反時計方向へ回転させ、開口部１ａから退かせていく。そして、回転子６と絞り羽根４の回転は、絞り羽根４がストッパ１ｓに当接することによって停止させられる。その後、固定子コイルに対する通電を断つと、図１の撮影待機状態に復帰したことになる。
【００２８】
ここで、本実施例の場合は、何故、二つの回転子５，６が接近して配置されているかについて説明をしておく。本実施例のモータは、特許文献１などの記載からも分かるように、地板１の羽根室外の面から局部的に突き出た取付け構成になっている。そのため、回転子６を備えたモータの取付け位置をそのままにして、回転子５を備えたモータの取付け位置を左上方位置に移動させたとすると、カメラの設計上、地板１の左方領域におけるカメラ内でのスペースの利用効率が極めて損なわれる。そのため、本実施例では、二つのモータを、共に、地板１の左下の領域に近接させて配置させている。従って、必然的に、二つの駆動ピン３ｃ，４ｃの作動領域も近接するし、２枚の絞り羽根３，４の羽根取付軸１ｐ，１ｑの位置も近接するようになっている。
【００２９】
そこで、このように二つの駆動ピン３ｃ，４ｃの作動領域が近接し、且つ２枚の絞り羽根３，４の羽根取付軸１ｐ，１ｑの位置が近接しているにもかかわらず、本実施例の場合には、絞り羽根４に逃げ孔４ｃを形成することによって、絞り羽根４が、上記のような往復作動中において、羽根取付軸１ｐと駆動ピン５ｃに干渉しないようになっている。尚、本実施例では、絞り羽根４に、逃げ孔４ｃを形成しているが、そのような逃げ孔４ｃを形成することなく、絞り羽根４の外形形状を、羽根取付軸１ｐと駆動ピン５ｃとに干渉しないようにすることも可能である。本発明は、そのようにしても構わないが、本実施例のような形状にした方が、安定した作動を得ることができる。
【００３０】
次に、撮影に際して、カメラのレリーズボタンを押したとき、測光装置によって、被写体光が標準の明るさの範囲よりも明るいと判断された場合には、両方のモータの固定子コイルに同時に電流が供給される。そのため、回転子５，６は、反時計方向へ回転させられ、駆動ピン５ｃ，６ｃによって、絞り羽根３，４を時計方向へ回転させ、開口部１ａに進入させていく。そして、このような回転子５，６と絞り羽根３，４の回転は、絞り羽根３，４がストッパ１ｔに当接することによって停止させられる。図３は、その停止状態を示したものであり、この状態で撮影が行われる。
【００３１】
ここで、測光装置によって、被写体光が標準の明るさの範囲よりも明るいと判断された場合には、何故、絞り羽根３だけを開口部１ａに進入させるのではなく、両方の絞り羽根３，４を進入させるのかについて説明する。本実施例の場合、地板１の外形形状は、カメラの設計上から定められている。そして、二つの羽根取付軸１ｐ，１ｑの立設位置は、上記のモータの取付け位置に制約を受け、所定の領域とせざるを得なくなっている。また、地板１と補助板２は長方形をしていて、補助板２は薄い板部材であることから、地板１の長辺の略真中あたりに、補助板２の受け部１ｊ，１ｋを設けている。そのため、図１から分かるように、２枚の絞り羽根３，４は、受け部１ｊを逃げる形状に形成されている。
【００３２】
ところが、絞り羽根３，４を、そのような形状にせざるを得なかったために、図３から分かるように、絞り羽根３だけでは、開口部１ａの右上方の一部の領域１ａ−１と、下方の一部の領域１ａ−２とを覆えなくなっている。そこで、本実施例の場合には、絞り羽根４も開口部１ａに進入させ、その覆えなくなっている領域１ａ−１，１ａ−２を覆うようにしている。
【００３３】
このようにして、図３の状態で撮影が終了すると、二つのモータの固定子コイルに対して、先ほどとは逆方向に電流が供給される。そのため、回転子５，６は、時計方向へ回転させられ、駆動ピン５ｃ，６ｃによって、絞り羽根３，４を反時計方向へ回転させ、開口部１ａから退かせていく。そして、絞り羽根３，４がストッパ１ｒ，１ｓに当接することによって、回転子５，６の回転も停止させられる。その後、二つの固定子コイルに対する通電を断つと、図１の撮影待機状態に復帰したことになる。
【００３４】
このような作動を行う本実施例では、絞り羽根３，４が誤作動をしたとき、それを判別し易い構成になっている。即ち、図１の状態で撮影が行われるべきところ、絞り羽根３，４の両方又はいずれか一方だけが、誤作動して開口部１ａに進入してしまった場合には、開口部１ａと開口部３ａとの面積比、又は、開口部１ａと開口部４ａとの面積比が大きくて、明るさが極端に異なるため、誤作動の判別は容易である。
【００３５】
また、図２の状態で撮影が行われるべきところ、絞り羽根４が作動しなかったときは、開口部１ａと開口部４ａとの面積比が大きくて明るさが極端に異なるので、誤作動の判別は容易であるし、絞り羽根４と共に絞り羽根３が作動してしまったときにも、開口部３ａと開口部４ａとの面積比が大きくて明るさが極端に異なるので、誤作動の判別は容易である。
【００３６】
ところが、絞り羽根４が作動せずに絞り羽根３が作動してしまった場合には、被写体光は、開口部３ａからだけではなく、図３に示したような、絞り羽根３の外形形状を小さくしたために覆えなくなった二つの領域１ａ−１，１ａ−２からも入ってくるようになるため、それらの合計面積と開口部４ａとの面積比が小さくなって明るさの差も小さくなり、誤作動の判別がしにくくなってしまう。そのため、このケースの場合には、絞り羽根４が開口部１ａに進入しないときには、絞り羽根３が開口部１ａに進入できないようにすればよいことになる。
【００３７】
更に、図３の状態で撮影が行われるべきところ、絞り羽根３，４の両方が作動しなかったときには、開口部１ａと開口部３ａとの面積比が大きくて明るさが極端に異なるので、誤作動の判別は容易であるし、絞り羽根４は作動したが絞り羽根３が作動しなかったときにも、開口部３ａと開口部４ａとの面積比が大きくて明るさが極端に異なるので、誤作動の判別は容易である。
【００３８】
ところが、絞り羽根４が作動せずに絞り羽根３だけが作動してしまった場合には、開口部３ａだけの面積と、絞り羽根３の外形形状を小さくしたために覆えなくなった二つの領域１ａ−１，１ａ−２を加えた面積との面積比が小さくなって明るさの差も小さくなり、誤作動の判別がしにくくなってしまう。そのため、このケースの場合にも、絞り羽根４が開口部１ａに進入しないときには、絞り羽根３が開口部１ａに進入できないようにすればよいことになる。
【００３９】
そこで、本実施例では、上記のような誤動作の判別がしにくくなる二つのケースの場合には、絞り羽根３が開口部１ａに進入できないようにし、全ての誤動作を的確に判別できるようにしている。即ち、図２の状態で撮影を行う場合に、絞り羽根４が、図１の状態から作動しないときは、駆動ピン５ｃが絞り羽根４の逃げ孔４ｃの縁に当接することによって回転子５の回転が阻止され、絞り羽根３が時計方向へ回転しないようになっている。また、図３の状態で撮影を行う場合に、絞り羽根４が、図１の状態から作動しないときにも、駆動ピン５ｃが絞り羽根４の逃げ孔４ｃの縁に当接することによって回転子５の回転が阻止され、絞り羽根３が時計方向へ回転しないようになっている。そのため、本実施例では、このような二つのケースの場合にも、誤作動の判別がし易くなっている。
【００４０】
尚、本実施例では、このような二つのケースにおいては、絞り羽根３が時計方向へ回転しないようにするために、回転子５の駆動ピン５ｃを、絞り羽根４の逃げ孔４ｃの縁に当接させているが、絞り羽根３に、常に逃げ孔４ｃ内に存在する係合ピンを設け、その係合ピンを、絞り羽根４の逃げ孔４ｃの縁に当接させるようにしても、同じ結果が得られる。また、図１において、絞り羽根３がストッパ１ｒに接触している部位の近傍に係合ピンを設け、その係合ピンを、絞り羽根４の外形形状形成縁に当接させるようにしても、同じ結果が得られる。
【００４１】
上記の本実施例の作動説明は、図１の状態が撮影待機状態であるとして説明したが、カメラの仕様によっては、図３の状態を撮影待機状態にすることも可能である。その場合における各々の作動は、上記の作動説明から容易に理解することができるので、詳細な説明は省略する。また、そのように作動させる場合であっても、絞り羽根３が図３の状態にある限り、絞り羽根４は、逃げ孔４ｃの縁が回転子５の駆動ピン５ｃに当接して反時計方向への回転を阻止されるようになっているので、外部からの衝撃や振動等によって絞り羽根４だけが開口部１ａから退いた状態になってしまうことがなく、全ての誤動作の判別が容易に行えることになる。尚、このような誤作動の判別は、製作段階でだけ行うようにしてもよいし、使用段階でも行えるようにして撮影者に認識できるようにしてもよい。
【実施例２】
【００４２】
次に、図４を用いて実施例２を説明する。上記の実施例１では、地板１の開口部１ａを露光用開口部にしていたが、実施例１の説明中でも述べたように、補助板２の開口部２ａを露光用開口部にしてもよいことが知られている。本実施例は、そのように構成した場合における一例である。そして、図４は、本実施例の最大絞り開口制御状態を示した平面図である。
【００４３】
ところで、カメラの仕様によっては、露光用開口部となっている開口部の縁を、出来るだけ薄くすることが知られている。その理由としては、開口部の端面で反射して撮像素子に達してしまう光を極力無くしたいためであったり、カメラ内において絞り羽根をレンズに接近させて配置したいためなどである。そのような観点では、上記のように、薄い材料で製作されている補助板２の開口部２ａを露光用開口部にするのが好ましい。
【００４４】
しかしながら、補助板２を、絞り羽根３，４と同等の厚さぐらいまで薄くすることは可能であるが、反面、そのように薄くすると、その分だけ変形し易くなる。そのため、絞り装置の搬送中やカメラへの組み込み作業中に変形しないような種々の工夫が必要になってしまう。そこで、本実施例は、上記のように、単に補助板２の開口部２ａを露光用開口部にするというだけではなく、薄い補助板２が変形しないように工夫したものである。
【００４５】
そこで、本実施例の具体的な構成を説明するが、本実施例は、上記の実施例１の変形例ともいうべきものである。そのため、図４においては、実施例１の場合と実質的に同じ部材及び部位には同じ符号を付けておき、全く同じものについては説明を省略し、実施例１の場合とは異なる構成についてだけ説明することにする。
【００４６】
本実施例の地板１には、実施例１において外壁面に設けられていた四つの突起部１ｄ，１ｅ，１ｆ，１ｇが形成されていない。また、実施例１における受け部１ｉが、三つの受け部１ｉ−１，１ｉ−２，１ｉ−３に分かれていて、真中になる受け部１ｉ−３は、上下方向の両側に形成されている受け部１ｉ−１，１ｉ−２よりも低く形成されている。また、実施例１における受け部１ｋも左右に二つの受け部１ｋ−１，１ｋ−２に分かれていて、左側に形成されている受け部１ｋ−１は、実施例１の場合と同じ高さであるが、右側の受け部１ｋ−２は、１段低く形成されている。このほか、地板１には、新たに、三つの受け部１ｕ，１ｖ，１ｗが、上記の受け部１ｉ−３，１ｋ−２と同じ高さになるように形成されている。また、上記の受け部１ｈ，１ｉ−１には、孔１ｘ，１ｙが形成されている。
【００４７】
本実施例の補助板７の外形は、実施例１の補助板２よりも左右の長さが短くなっている。しかしながら、その厚さは、実施例１の補助板２と同様に、薄く形成されている。そして、この補助板７は、地板１の羽根取付軸１ｐ，１ｑに孔７ａ，７ｂを嵌合させて、上記の受け部１ｉ−３，１ｋ−２，１ｕ，１ｖ，１ｗに接触し、地板１との間に、絞り羽根３，４の羽根室を構成している。また、この補助板７にも、光軸を中心にした円形の開口部７ｃが形成されているが、この開口部７ｃの直径は、地板１の開口部１ａの直径よりも小さい。
【００４８】
この補助板７には、地板１の長孔１ｂ，１ｃと対向するところに、同じ形状の長孔７ｄ，７ｅが形成されていて、それらに回転子５，６の駆動ピン５ｃ，６ｃが挿入されている。また、補助板７には、そのほかに三つの孔７ｆ，７ｇ，７ｈが形成されていて、それらにはストッパ１ｒ，１ｓ，１ｔが挿入されている。
【００４９】
本実施例においては、さらに、保護板８が地板１に取り付けられているが、この保護板８は、上記の理由によって、補助板７よりも厚く形成されている。また、この保護板８は、上記の開口部１ａと同じ直径の開口部８ａを光軸を中心に形成していて、実施例１における補助板２と略同じ外形形状をしているが、図４においては、図１における補助板２の場合と同様に、右下方部の一部だけが示されている。そして、この保護板８は、受け部１ｈ，１ｉ，１ｋ−１，１ｉ−１，１ｉ−２に接触させられるとともに、図示していない二つのビスによって、地板１に形成されている前記の二つの孔１ｘ,１ｙに取り付けられ、前記の補助板７を、図示していない凸部によって上記の受け部１ｉ−３，１ｋ−２，１ｕ，１ｖ，１ｗに押し付けている。
【００５０】
そのため、この保護板８は、当然のことながら、前記の孔１ｘ，１ｙに対応するところに夫々孔を有しているが、図４においては、それらのうちの一方の孔８ｂだけが示されている。また、この保護板８には、そのほかにも、地板１の孔１ｍ，１ｎに対応するところと、補助板７の孔７ａ，７ｂ，７ｆ，７ｇ，７ｈに対応するところに、夫々略同じ形状の孔が形成され、補助板７の長孔７ｄ,７ｅに対応するところに、夫々略同じ形状の長孔が形成されているが、図４においては、それらのうち、補助板７の孔７ｈに対応して形成されている孔８ｃだけが示されている。
【００５１】
その他の構成は、実施例１の場合と全く同じである。従って、実施例１の説明において、それらの構成について述べたことは、本実施例にも適用される。また、本実施例は、このように構成されているが、その作動は、実施例１の場合と実質的に同じようにして行なわれる。従って、重複を避けるために、その作動説明を省略する。
【００５２】
尚、上記の各実施例の説明においては、絞り羽根３，４に、開口部３ａ，４ａが形成されているが、本発明は、それらの絞り羽根３，４の少なくとも一方に、それらの開口部３ａ，４ａを覆うようにしてＮＤフィルタシートを取り付けても差し支えない。また、上記の各実施例においては、駆動手段として、特許文献１などに記載されている周知の電流制御式のモータを用いているが、本発明の駆動手段は、そのような構成のモータに限定されず、他の構成の電流制御式のモータであっても、ステッピングモータであっても差し支えない。
【００５３】
また、上記の各実施例は、ユニットとしてカメラへ取り付けるように構成したものであるが、本発明のカメラ用絞り装置は、構成部材を順にカメラに取り付けて構成されたものであっても差し支えない。また、上記の各実施例は、絞り装置だけでユニットとして構成したものであるが、本発明のカメラ用絞り装置は、シャッタ装置と共にユニット化したものであっても差し支えない。そのように構成する場合には、例えば、実施例２における補助板７と保護板８との間にもう一つの羽根室を構成し、その羽根室内にシャッタ羽根を配置するようにすればよい。
【符号の説明】
【００５４】
１                            地板
１ａ，２ａ，３ａ，４ａ，７ｃ，８ａ      開口部
１ａ−１，１ａ−２                      開口部１ａの一部の領域
１ｂ，１ｃ，３ｂ，４ｂ，７ｄ，７ｅ      長孔
１ｄ，１ｅ，１ｆ，１ｇ        突起部
１ｈ〜１ｋ，１ｉ−１〜１ｉ−３，１ｋ−１，１ｋ−２，１ｕ〜１ｗ      受け部
１ｍ，１ｎ，１ｘ，１ｙ,２ｂ，７ａ，７ｂ，７ｆ〜７ｈ,８ｂ，８ｃ      孔
１ｐ，１ｑ                    羽根取付軸
１ｒ〜１ｔ                    ストッパ
２，７                        補助板
３，４                        絞り羽根
４ｃ                          逃げ孔
５，６                        回転子
５ａ，６ａ                    本体部
５ｂ，６ｂ                    腕部
５ｃ，６ｃ                    駆動ピン
８                            保護板
【図１】
2010204200.tif 000003
【図２】
2010204200.tif 000004
【図３】
2010204200.tif 000005
【図４】
2010204200.tif 000006